(57)【要約】【課題】  部品点数を減らして組み付けを単純化すると共に、シート体の保持時においても両手を使って位置調整が可能なクリップを提供すること。【解決手段】  一対のクリップ片２，１１を備えたクリップ１であって、一方のクリップ片２は、その後方部において該クリップ片本体と一体に連結され外力で偏向される操作部５を有すると共に、他方のクリップ片１１を回動自在に支持する支持部４を有し、他方のクリップ片１１は支持部４に支持される被支持部４ａを有しており、一方のクリップ片２の操作部５に設けた突部５ａが他方のクリップ片１１に設けた突部１３ａと係止して互いの先端部３，１２の接合が維持され、操作部５を外力により偏向操作することで両突部５ａ，１３ａの係止が外れ、互いの先端部３，１２が拡開維持される。【選択図】  図３
2006321149.tif 000002
【特許請求の範囲】
【請求項１】
互いの先端部の接合により被挟持物を保持し、該先端部の拡開により被挟持物の保持を解放する一対のクリップ片を備えたクリップであって、一方のクリップ片は、その後方部において該クリップ片本体と一体に連結され外力で偏向される操作部を有すると共に、他方のクリップ片を回動自在に支持する支持部を有し、他方のクリップ片は前記支持部に支持される被支持部を有しており、前記一方のクリップ片の操作部に設けた突部が他方のクリップ片に設けた突部と係止して互いの先端部の接合が維持され、前記操作部を外力により偏向操作することで両突部の係止が外れ、互いの先端部が拡開維持されることを特徴とするクリップ。
【請求項２】
前記操作部へ外力の解放による該操作部に生起した復元力は、一方のクリップ片の突部が他方のクリップ片を拡開方向に回動するように押圧する請求項１に記載のクリップ。
【請求項３】
前記一方のクリップ片の背面部を壁体に貼着可能に構成した請求項１または２に記載のクリップ。
【請求項４】
前記一対のクリップ片の被挟持物保持部は、挟角が略直角をなす２等辺三角形状である請求項１乃至３のいずれかに記載のクリップ。
【請求項５】
前記一方のクリップ片の被挟持物保持部の直角をなす２辺に、他方のクリップ片の被挟持物保持部側に向いた案内リブが形成されている請求項４に記載のクリップ。
【請求項６】
前記他方のクリップ片は上方に向けて凸状に湾曲した形状とし、該クリップ片の先端部の両端と前記一方のクリップ片で被挟持物を保持した請求項１乃至５のいずれかに記載のクリップ。
【発明の詳細な説明】
【技術分野】
【０００１】
本発明は、互いの先端部の接合により被挟持物を保持し、該先端部の拡開により被挟持物の保持を解放する一対のクリップ片を備えたクリップに関する。
【背景技術】
【０００２】
従来、メモ用紙、コピー用紙、書類、ポスター等のシート体を一枚あるいは複数枚挟んで保持したり、挟んで保持したものを掲示のために吊したりするクリップが種々開発されている。これらクリップは一般に一対のクリップ片と、このクリップ片に挟持力を付与するためのばね部材の３点で構成されており、一対のクリップ片の内部にクリップ片から抜け出さないようにばね部材を介在させるとともに、ばね部材に抗して一対のクリップ片に操作力を与えると、一対のクリップ片の先端が開口できるように組み付けられている（特許文献１、２参照）。
【０００３】
【特許文献１】特開２００１−８８４８２号公報（図２参照）
【特許文献２】特開２００３−２３７２７４号公報（図１，２参照）
【発明の開示】
【発明が解決しようとする課題】
【０００４】
しかしながら、従来のクリップは、部品が３点で構成されているために、製作コストが掛かるだけでなく、ばね部材を両クリップ片に組み付けるのに手間が掛かる難点があった。またシート体の保持時においても、ばね部材に抗して一対のクリップ片に操作力を与え続けていないと、シート体保持のために開いたクリップ片の先端の開口が閉じてしまうので、シート体が保持された際の向きを位置決めするのに片手だけで調整を強いられる不自由さがあった。
【０００５】
本発明は、このような問題点に着目してなされたもので、部品点数を減らして組み付けを単純化すると共に、シート体の保持時においても両手を使って位置調整が可能なクリップを提供することを目的とする。
【課題を解決するための手段】
【０００６】
上記課題を解決するために、本発明の請求項１に記載のクリップは、互いの先端部の接合により被挟持物を保持し、該先端部の拡開により被挟持物の保持を解放する一対のクリップ片を備えたクリップであって、一方のクリップ片は、その後方部において該クリップ片本体と一体に連結され外力で偏向される操作部を有すると共に、他方のクリップ片を回動自在に支持する支持部を有し、他方のクリップ片は前記支持部に支持される被支持部を有しており、前記一方のクリップ片の操作部に設けた突部が他方のクリップ片に設けた突部と係止して互いの先端部の接合が維持され、前記操作部を外力により偏向操作することで両突部の係止が外れ、互いの先端部が拡開維持されることを特徴としている。
この特徴によれば、クリップが一対のクリップ片だけで構成されているので、部品構成が簡素であり、組み付けや製造に手間が掛からず、しかも操作部を偏向操作するだけでクリップの互いの先端部が拡開維持されるので、被挟持物の保持時においても両手を使って位置調整が容易に行える。
【０００７】
本発明の請求項２に記載のクリップは、請求項１に記載のクリップであって、前記操作部へ外力の解放による該操作部に生起した復元力は、一方のクリップ片の突部が他方のクリップ片を拡開方向に回動するように押圧することを特徴としている。
この特徴によれば、操作部に生起した復元力を利用することにより、クリップの両先端部をより広く拡開でき、被挟持物を保持する操作がより容易に行える。
【０００８】
本発明の請求項３に記載のクリップは、請求項１または２に記載のクリップであって、前記一方のクリップ片の背面部を壁体に貼着可能に構成したことを特徴としている。
この特徴によれば、一方のクリップ片を壁体に貼着させることにより、ポスター等の薄型掲示物を壁に掲示させるコーナークリップとして用いることができる。
【０００９】
本発明の請求項４に記載のクリップは、請求項１乃至３のいずれかに記載のクリップであって、前記一対のクリップ片の被挟持物保持部は、挟角が略直角をなす２等辺三角形状であることを特徴としている。
この特徴によれば、一対のクリップ片の形状が、挟角が略直角をなす２等辺三角形状であれば、メモ用紙や宣伝用掲示物等の矩形状のシート体の角部を有効に保持できる。
【００１０】
本発明の請求項５に記載のクリップは、請求項４に記載のクリップであって、前記一方のクリップ片の被挟持物保持部の直角をなす２辺に、他方のクリップ片の被挟持物保持部側に向いた案内リブが形成されていることを特徴としている。
この特徴によれば、矩形状のシート体をクリップに保持させる場合に、案内リブでシート体の角部の位置決めができるので、シート体を常に傾くことなく正確に掲示できる。
【００１１】
本発明の請求項６に記載のクリップは、請求項１乃至４のいずれかに記載のクリップであって、前記他方のクリップ片は上方に向けて凸状に湾曲した形状とし、該クリップ片の先端部の両端と前記一方のクリップ片で被挟持物を保持したことを特徴としている。
この特徴によれば、一方のクリップ片に他方のクリップ片が係止された状態では、上方に向けて凸状に湾曲する他方のクリップ片が圧縮された状態となり、他方のクリップ片の先端部の両端が接合する一方のクリップ片の先端部に対する押圧力を集中させることができるので、両クリップ片に保持される被挟持物の密着強度および保持力が高められるとともに、操作部の偏向操作によって一方のクリップ片と他方のクリップ片の係止解除時には圧縮されていた状態が解除され、他方のクリップ片の上方への跳ね上がりが大きくなり、より大きく両クリップ間の拡開度を高められる。
【発明を実施するための最良の形態】
【００１２】
本発明の実施例を以下に説明する。
【実施例１】
【００１３】
図１（ａ）は、本発明の実施例１におけるクリップの拡開状態を示す斜視図であり、図１（ｂ）は、クリップの係止状態を示す斜視図であり、図２は、クリップの分解組立斜視図であり、図３は、クリップの組立後の開閉状態を示す側面図であり、図４は、（ａ）は、クリップの第２クリップ片を第１クリップ片に係止操作する過程の開始時を示す側断面図であり、図４（ｂ）は、第２クリップ片の押圧操作の途中過程を示す側断面図であり、図４（ｃ）は、第２クリップ片の係止操作完了を示す側断面図である。図５は、クリップの係止状態を示す正面図であり、図６は、クリップの使用例を示す平面図であり、図７（ａ）は、第２クリップ片を係止状態から解除状態にする過程の開始時を示す側断面図であり、図７（ｂ）は、第１クリップ片の操作部の偏向操作の途中過程を示す側断面図であり、図７（ｃ）は、第２クリップ片の係止解除操作完了を示す側断面図である。
【００１４】
図１（ａ）に示されるように、符号１は被挟持物である薄紙型ポスター等のシート体２０のコーナを挟持するクリップ１であって、このクリップ１は、壁面２１等に取り付けられる一方のクリップ片である第１クリップ片２と、この第１クリップ片２の支持部４で開閉可能に枢軸係合された他方のクリップ片である第２クリップ片１１とで対をなしている。これら第１クリップ片２と第２クリップ片１１はそれぞれ硬質プラスチック樹脂が用いられ、金型による押し出し方法によって成型されている。
【００１５】
クリップ１の非使用状態では第２クリップ片１１の先端部１２が第１クリップ片２に対して解放された拡開状態となっており、クリップ１の使用状態では図１（ｂ）に示されるように、第２クリップ片１１の先端部１２が第１クリップ片２の先端部３に向けて接合された閉止状態となっており、シート体２０のコーナ部２０ａが挟持されている。
【００１６】
後で詳述するが、第１クリップ片２の後方の操作部５の操作で、第２クリップ片１１を図１（ａ）に示された拡開状態とし、シート体２０のコーナ部２０ａの挟持を解放可能な構成のクリップ１となっている。以下、本実施例の説明において、クリップ１の正面側を前方をとし背面側を後方とし、クリップ１の左側面側を左方とし右側面側を右方として説明する。
【００１７】
そこで、クリップ１の構造について具体的に説明すると、図２に示されるようにシート体２０を保持する第１クリップ片２の第１被挟持物保持部６には、先端部３の両端部３ａが前方に向けて左右に末広がりとなっており、後方の挟角が略直角をなす２等辺三角形の扇状に形成されている。
【００１８】
この後方の左右側部には支持部４が立設形成され、内面に上下に向けて支持溝４ａが形成されている。支持部４には前方に向けて第１被挟持物保持部６の直角をなす２辺に沿って、それぞれ案内リブ７が形成されている。第１被挟持物保持部６上面の中央位置から先端部３には、シート体２０の保持力を高めるために軟質ウレタン等の滑り防止材６ａが接着され設けられている。
【００１９】
第１被挟持物保持部６の後端には第２クリップ１１を解除状態に操作する操作部５が舌片状で後方に向けて、やや上方に向けて反りあがるように形成され、操作部５の上面には左右所定間隔で小突起５ｂが複数（本実施例では３箇所）突設されている。なお、前述の支持部４と操作部５との間には上下に貫通する切込溝８が形成され、操作部５の上下方向の弾性力が高められるとともに、両支持部４の左右方向の弾性力も高められている。操作部５上面の左右両端側には支持部４の支持溝４ａ近傍位置に、前方に向けて傾斜する側面視三角形の突部５ａが形成されている。
【００２０】
次いで、第２クリップ片１１にも第１クリップ片２と同様に、先端部１２の両端部１２ａが前方に向けて左右に末広がりとなっており、後方の挟角が略直角をなす２等辺三角形の扇状に形成されるとともに、第２クリップ片１１は中央部１６から盛り上がるように上方に向けて凸状で湾曲に形成されている。
【００２１】
この挟角の後端部１３には被支持部として形成された支軸１７がそれぞれに左右の外方に向けて凸設されている。支軸１７の近傍下面には下方に突設する第１クリップ片２の突部５ａと当接可能な突部１３ａが形成されている。また、第２クリップ片１１の先端近傍には左右方向に延び、第１クリップ片２に向けて突出する第２被挟持物保持部１４が一対形成されている。
【００２２】
第２クリップ片１１を第１クリップ片２に取り付けるには、左右の支軸１７を矢印に示されるように左右の支持部４内に強く押圧させていき、両支持部４を押し広げながら下方に移動させていくことで支軸１７が支持溝４ａに嵌合されるとともに、突部１３ａの下方が操作部５の突部５ａに当接支持されることで、第２クリップ片１１が第１クリップ片２に支軸１７を介して回動可能に取り付けられる。
【００２３】
そして、図３に示されるように、第１クリップ片２の下面である背面部９には粘着シート９ａが設けられており、クリップ１を簡便かつ強固に壁面２１に取り付け可能になっている。なお、本実施例の粘着シート９は壁面２１（図４参照）に繰り返し着脱しても接着性能がほとんど劣化しにくいシート体が用いられているが、本発明はこれに限定されるものではなく、従来公知の両面テープを用いて壁面２１にクリップ１を取り付けるようにしてもよい。
【００２４】
第２クリップ片１１は支軸１７が支持溝４ａに支持されることで、支軸１７を軸にして第２クリップ片１１の先端部１２を第１クリップ片２の先端部３に向けて回動可能になっており、図示されたクリップ１の状態は第２クリップ片１１の解放位置となっている。特に図示しないが両クリップ片２，１１の間に被挟持物であるシート体２０（図示略）を差し入れ可能になっている。第２クリップ片１１の後端部１３の一部には回動規制部１５が突設され、第２クリップ片１１が所定開度以上拡開しないようになっている。
【００２５】
このクリップ１の解放位置での第１クリップ片２の突部５ａおよび第２クリップ片１１の突部１３ａとの位置関係は、突部５ａが突部１３ａの後方に位置して第２クリップ片１１の後端部１３と当接して第２クリップ片１１の拡開状態を維持している。
【００２６】
次に、図４に示されるようにクリップ１の係止操作について説明する。なお、クリップ１の係止構造過程を明瞭にするために、クリップ１に挟持されるシート体２０を割愛して説明する。
【００２７】
図４（ａ）に示されるように、クリップ１の解放位置から指で第２クリップ片１１の中央部１６を矢印の示される下方に押圧して押し下げていく。そして図４（ｂ）に示されるように、第２被挟持物保持部１４を第１被挟持物保持部６に当接するように押し下げていくと、突部５ａが突部１３ａによって徐々に押し下げられていくとともに、操作部５は切込溝８により偏向し、下方に湾曲されながら押し下げられていく。
【００２８】
さらに図４（ｃ）に示されるように、指で中央部１６が強く押し込まれることで、中央部１６の盛り上がった湾曲部分が略平坦に変形され、突部１３ａが突部５ａを乗り越えるとともに、この突部５ａおよび操作部５が上方に跳ね上がり係止操作が完了する。このように、クリップ１の係止状態では指で中央部１６が押し込まれたことで圧力が加わり、第２クリップ片１１が上方に跳ね上がろうとする復元力が蓄えられているが、突部１３ａが突部５ａに係止されるため第２クリップ片１１の係止状態が維持される。
【００２９】
この係止操作による第２クリップ片１１の係止状態においては、図５に示されるように、第２クリップ片１１の両端部１２ａ，１２ａが外方左右に向けて湾曲されるとともに、下方に向けて一定の押圧力が加わることで、第２クリップ片１１の第２被挟持部物保持部１４，１４が接合する第１クリップ片２の両端部３ａ，３ａの近傍位置に対する押圧力を集中させることができ、両クリップ片２，１１に保持される被挟持物であるシート体２０の密着強度および保持力が高められ、例えばシート体２０が大型で重量のある被挟持物であっても両クリップ片２，１１でしっかりと保持され、シート体２０の取り外れが確実に防止されている。
【００３０】
さらに、第１被挟持物保持部６に載置されたシート体２０は、左右の第２被挟持物保持部１４の２箇所で確実に挟持されるとされるとともに、第１被挟持物保持部６の先端部３上面側に設けられた滑り防止材６ａによって、シート体２０の横ズレも確実に防止されている。
【００３１】
そこで、このクリップ１をシート体２０のクリップとして使用したり、図６に示されるように、壁面２１の左右に取り付け、矩形状のシート体２０の左右のコーナ部２０ａを挟持させることで、ポスター等の薄型掲示物を壁に掲示させるコーナークリップとして用いることができる。さらに、一対のクリップ片２，１１の形状が、それぞれの挟角から略直角をなす２等辺三角形状であるため、メモ用紙や宣伝用掲示物等の矩形状シート体２０の角部を案内リブ７に沿わせシート体２０が傾かないように保持できる。
【００３２】
このように、シート体２０のコーナ部２０ａに別々にクリップ１を利用するため、本実施例のシート体２０のサイズに制限されることなく、各種のシート体２０のサイズに合わせて取り付けが行える。また、シート体２０のクリップ１への取り付け時には、第２クリップ片１１を大きく拡開した状態でシート体２０の位置を両手で調整でき、かつ左右両側に設けられた２辺の案内リブ７によって、シート体２０のコーナ部２０ａの角部を当接させることでシート体２０の位置決めが容易に行うことができる。なお、この案内リブ７は第２クリップ片１１の拡開移動の案内片としれ利用することもできる。
【００３３】
次に、図７に基づきクリップ１の係止解除操作について、クリップ１に挟持されるシート体２０を除いた状態で説明する。
【００３４】
図７（ａ）に示されるように、クリップ１の係止位置から指で第１クリップ片２の操作部５を矢印に示される下方に向けて押圧し、操作部５を偏向操作することで、図７（ｂ）に示されるように、操作部５が徐々に下方に向けて湾曲され押し下げられていくとともに、突部５ａも押し下げられていく。また、操作部５の上面には小突起５ｂが形成されているため指の滑り防止となっている。
【００３５】
さらに操作部５が押し下げられることで、図７（ｃ）に示されるように、突部５ａに係止されていた突部１３ａの係止が解除され、第２クリップ片１１の圧縮されていた中央部１６の上方に跳ね上がろうとする復元力で、第２クリップ片１１の先端部１２から上方に跳ね上がり係止状態が解除される。このように、操作部５の偏向操作によって第１クリップ片２と第２クリップ片１１の係止解除時には圧縮されていた状態が解除され、第２クリップ片１１の上方への跳ね上がりが大きくなり、より大きく両クリップ２，１１間の拡開度が高められている。
【００３６】
そして操作部５の押圧操作を止めることで操作部５が弾性力で元の位置に戻るとともに、この操作部５に生起した復元力は、第１クリップ片２の突部５ａが第２クリップ片１１の後端部１３に当接して第２クリップ片１１を更に拡開方向に回動するように押圧するために、クリップ１の両先端部３，１２の間隔をより広く拡開でき、次にシート体２０を保持する場合に挟持作業が容易に行える。
【００３７】
このとき、第２クリップ片１１の閉止方向の移動は突部５ａにより拘束されているので、第２クリップ片１１の解放位置は一定に拡開維持される。この状態において、第２クリップ片１１が逆に更に大きく拡開しようとしても、第２クリップ片１１の後端部１３に設けられた回動規制部１５が突部５ａに当接して回動が制限される構成となっている。
【００３８】
以上の説明により実施例１では、クリップ１が一対の第１クリップ片２および第２クリップ片１１だけで構成されているので部品構成が簡素であり、従来のクリップよりも部品点数を減らして組み付けを単純化できるので、組み付けや製造に手間が掛からず、しかも操作部５を偏向操作するだけで、互いの先端部３，１２が拡開維持されるので、被挟持物であるシート体２０の保持時においても両手を使って位置調整が容易に行える。
【実施例２】
【００３９】
次に、本発明の実施例２を図８に基づいて説明する。図８は、クリップの分解組立斜視図である。なお、以下の実施例２において前述の実施例１と同様の構造部分に関しては、同一の符号を付すことにより詳細な説明は省略することにする。
【００４０】
図８に示されるように、クリップ１’の第１クリップ片２’に形成された案内延長リブ１８は、第１被挟持物保持部６の直角をなす２辺の略全側面に沿って、上方を向く案内延長リブ１８が形成されている。このように案内延長リブ１８を長く延設させたことで、矩形状の用紙等のシート体２０をクリップ１に保持させる場合に、案内延長リブ１８でシート体２０の角部の位置決めができるので、シート体２０を常に傾くことなく正確に掲示できる。
【実施例３】
【００４１】
次に、本発明の実施例３を図９に基づいて説明する。図９（ａ）は、クリップの拡開状態を示す斜視図であり、図９（ｂ）は、クリップの閉止状態を示す斜視図である。なお、以下の実施例３において前述の実施例１と同様の構造部分に関しては、同一の符号を付すことにより詳細な説明は省略することにする。
【００４２】
図９（ａ）に示されるように、クリップ１’’の第２クリップ片１１’の中央部１６には、上面視コ字状の切り溝が形成され、内部に矩形の弾性力のある保持片１９が形成され、前端部の左右方向に延設され下向きに突設した第２被挟持物保持部１９ａが形成されている。そこで、第１被挟持物保持部６にシート体２０のコーナ部２０ａを載置して、第２クリップ片１１’を係止操作することで、図９（ｂ）に示されるようにコーナ部２０が第１被挟持物保持部６と第２被挟持物保持部１９ａに挟持され、保持片１９の弾性力によりシート体２０がさらに強く押圧され位置固定される。したがって実施例３では、シート体２０の挟持する第２被挟持物保持部が１箇所であっても、シート体２０を確実に保持できる構成となる。
【００４３】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、一対のクリップ片２，１１の形状が、それぞれの挟角から略直角をなす２等辺三角形状であるため、矩形状シート体２０の角部を合わせて有効に保持できることから好ましいが、本発明はこれに限定されるものではなく、シート体２０を第１被挟持物保持部と第２被挟持物保持とで確実に保持可能な構成であれば、クリップ片の形状を円形等の他の形状に適宜クリップの利用形態に合わせて変更しても良い。
【００４４】
また、本実施例では、支持体４に支持溝４ａを形成し、被支持体を支軸１７として第２クリップ片１１、１１’を開閉支持しているが、支持体４に支軸を設け、被支持体として第２クリップ片１１、１１’の後端部１３に支軸と嵌合する溝を設けて回動自在に第２クリップ片１１、１１’を支持するようにしても良い。
【図面の簡単な説明】
【００４５】
【図１】（ａ）は、本発明の実施例１におけるクリップの拡開状態を示す斜視図であり、（ｂ）は、クリップの係止状態を示す斜視図である。
【図２】クリップの分解組立斜視図である。
【図３】クリップの組立後の開閉状態を示す側面図である。
【図４】（ａ）は、クリップの第２クリップ片を第１クリップ片に係止操作する過程の開始時を示す側断面図であり、（ｂ）は、第２クリップ片の押圧操作の途中過程を示す側断面図であり、（ｃ）は、第２クリップ片の係止操作完了を示す側断面図である。
【図５】クリップの係止状態を示す正面図である。
【図６】クリップの使用例を示す平面図である。
【図７】（ａ）は、第２クリップ片を係止状態から解除状態にする過程の開始時を示す側断面図であり、（ｂ）は、第１クリップ片の操作部の偏向操作の途中過程を示す側断面図であり、（ｃ）は、第２クリップ片の係止解除操作完了を示す側断面図である。
【図８】本発明の実施例２におけるクリップの分解組立斜視図である。
【図９】（ａ）は、本発明の実施例３におけるクリップの拡開状態を示す斜視図であり、（ｂ）は、クリップの閉止状態を示す斜視図である。
【符号の説明】
【００４６】
１、１’、１’’    クリップ
２、２’          第１クリップ片（一方のクリップ片）
３                先端部
３ａ              端部
４                支持部
４ａ              支持溝
５                操作部
５ａ              突部
５ｂ              小突起
６                第１被挟持物保持部
６ａ              滑り防止材
７                案内リブ
８                切込溝
９                背面部
９ａ              粘着シート
１１、１１’      第２クリップ片（他方のクリップ片）
１２              先端部
１２ａ            端部
１３              第２クリップ片の後端部
１３ａ            突部
１４              第２被挟持物保持部
１５              回動規制部
１６              中央部
１７              支軸（被支持部）
１８              案内延長リブ
１９              保持片
１９ａ            第２被挟持物保持部
２０              シート体（被挟持物）
２０ａ            コーナ部
２１              壁面
【図１】
2006321149.tif 000003
【図２】
2006321149.tif 000004
【図３】
2006321149.tif 000005
【図４】
2006321149.tif 000006
【図５】
2006321149.tif 000007
【図６】
2006321149.tif 000008
【図７】
2006321149.tif 000009
【図８】
2006321149.tif 000010
【図９】
2006321149.tif 000011